(57)【要約】【課題】  電池パックの中央部に積載用の電池が位置する構造にできる。２個の電池ブロックを簡単な構造で一体化する。【解決手段】  第１の電池ブロック４の上面に第１補強板７を載置固着する。第１の電池ブロック４の一側端部に並んだ複数の電池１のうち一つの電池１の上面に第１補強板７を介して積載用の電池１ａを接続端子３を折り返して積載する。第２の電池ブロック５の上面に第２補強板８を載置固着し、第１補強板７乃至第２補強板８の少なくとも一方から側方に接続用突片９を連出する。第１の電池ブロック４の並設方向の側面のうち上記積載用の電池１ａを積載した側の一側面に第２の電池ブロック４の並設方向の側面を対向させ、接続用突片９を隣接する電池ブロックの電池１の上面に載置固着する。【選択図】        図１
2005026190.tif 000002
【特許請求の範囲】
【請求項１】
並設した複数の電池の各電極を接続端子を介して電気的に接続してなる第１の電池ブロックと、並設した複数の電池の各電極を接続端子を介して電気的に接続してなる第２の電池ブロックとを組み合わせると共に両電池ブロックを電気的に接続して構成した電池パックであって、電池ブロックにおける複数の電池の並設方向と平行な面と直交する方向の両端面を上面、下面と定義したとき、第１の電池ブロックの上面に第１補強板を載置固着すると共に、第１の電池ブロックの一側端部に並んだ複数の電池のうち一つの電池の上面に第１補強板を介して積載用の電池を接続端子を折り返して積載し、第２の電池ブロックの上面に第２補強板を載置固着し、第１補強板乃至第２補強板の少なくとも一方から側方に接続用突片を連出し、該第１の電池ブロックの並設方向の側面のうち上記積載用の電池を積載した側の一側面に第２の電池ブロックの並設方向の側面を対向させ、接続用突片を隣接する電池ブロックの電池の上面に載置固着して成ることを特徴とする電池パック。
【請求項２】
第１、第２補強板が電気的絶縁性を備えていることを特徴とする請求項１記載の電池パック。
【請求項３】
接続した両電池ブロックよりなるブロック体の外周を囲んで保持するための外周壁部を設けて成ることを特徴とする請求項１又は請求項２記載の電池パック。
【請求項４】
外周壁部に各電池の外周部を保持するための複数の電池保持部を設けて成ることを特徴とする請求項３記載の電池パック。
【請求項５】
第１補強板及び第２補強板にそれぞれ各電池に嵌め込んで各電池を保持するための複数の電池嵌め込み部を設けて成ることを特徴とする請求項１乃至請求項４のいずれか１項に記載の電池パック。
【発明の詳細な説明】
【技術分野】
【０００１】
本発明は、各種電気機器等の電源として用いられる電池パックに関するものである。
【背景技術】
【０００２】
従来から複数の電池を並設すると共に電池の各電極を接続端子を介して電気的に接続して電池ブロックを構成すると共に、電池ブロックにおける複数の電池の並設方向と平行な面と直交する方向の両端面を上面、下面と定義したとき、一側端部に並んだ複数の電池のうち一つの電池の上面に積載用の電池を接続端子を折り返して上積みした電池パックが知られている。（例えば、特許文献１参照）
上記特許文献１のように、複数の電池を並設した電池ブロックの上に１つの積載用の電池を上積みした構造の電池パックは、上面部に突設した１つの積載用の電池部分に端子ブロックを設け、電動工具のような電気機器の筒状のハンドルのような機器ハウジング内に上記端子ブロックを設けた積載用の電池部分を嵌め込んで装着することで、端子ブロックに設けた出力端子を筒状の機器ハウジング内に設けた負荷側端子と接続するようになっている。
【０００３】
そして、上記特許文献１に示された従来例にあっては、製造に当たって、複数の電池を並設して上面側や下面側において隣接する電池の電極（正極、負極）を接続端子により電気的に接続し、この際、一側端部に並んだ複数の電池のうち一つの電池の隣に積載用の電池を並べ、該一側端部に並んだ複数の電池のうち一つの電池の上面側の電極と隣の積載用の電池の上面側の電極とを接続端子により接続し、その後、積載用の電池を接続している接続端子を折り返し、このようにして一側端部に並んだ複数の電池のうち一つの電池の上面に積載用の電池を接続端子を折り返して上積みするようにしており、これにより、複数の電池を並設した電池ブロックの上に１つの積載用の電池を上積みした構造の電池パックを容易に製造することができるのであるが、上記のように製造する従来例にあっては、複数の電池を並設した電池ブロックの上に１つの積載用の電池を上積みした構造の電池パックを形成するに当たって、形成される電池パックの一側端部にしか積載用の電池を位置させることができかなかった。つまり、従来にあっては、電池パックの端部以外の部分である中央部に積載用の電池が位置する構造にできなかった。
【０００４】
このように、従来にあっては、電池パックの端に積載用の電池が位置するため、電池パックを電気機器に接続した状態におけるバランスが悪いという問題があった。
【特許文献１】特開平１１−２１９７３３号公報
【発明の開示】
【発明が解決しようとする課題】
【０００５】
本発明は上記の従来の問題点に鑑みて発明したものであって、簡単な構成で電池パックの端部以外の部分である中央部に積載用の電池が位置する構造にでき、また、２個の電池ブロックを組み合わせたものであるにもかかわらず簡単な構造で全体を強固に一体化できる電池パックを提供することを課題とするものである。
【課題を解決するための手段】
【０００６】
上記課題を解決するために本発明に係る電池パックは、並設した複数の電池１の各電極２ａ、２ｂを接続端子３を介して電気的に接続してなる第１の電池ブロック４と、並設した複数の電池１の各電極２ａ、２ｂを接続端子３を介して電気的に接続してなる第２の電池ブロック５とを組み合わせると共に両電池ブロック４、５を電気的に接続して構成した電池パック６であって、電池ブロックにおける複数の電池１の並設方向と平行な面と直交する方向の両端面を上面、下面と定義したとき、第１の電池ブロック４の上面に第１補強板７を載置固着すると共に、第１の電池ブロック４の一側端部に並んだ複数の電池１のうち一つの電池１の上面に第１補強板７を介して積載用の電池１ａを接続端子３を折り返して積載し、第２の電池ブロック５の上面に第２補強板８を載置固着し、第１補強板７乃至第２補強板８の少なくとも一方から側方に接続用突片９を連出し、該第１の電池ブロック４の並設方向の側面のうち上記積載用の電池１ａを積載した側の一側面に第２の電池ブロック４の並設方向の側面を対向させ、接続用突片９を隣接する電池ブロックの電池１の上面に載置固着して成ることを特徴とするものである。
【０００７】
このように、第１の電池ブロック４の一側端部に並んだ複数の電池１のうち一つの電池１の上面に積載用の電池１ａを接続端子３を折り返して積載し、第１の電池ブロック４の並設方向の側面のうち上記積載用の電池１ａを積載した側の一側面に第２の電池ブロック４の並設方向の側面を対向させる構成を採用することで、電池パック６の端以外の部分（つまり中央部）に積載用の電池１ａを積載した構造にできるものであり、例えば、電気機器に電池パックを取付ける際、電池パックの端以外の部分（つまり中央部）が電気機器に取付けられて取付け状態におけるバランスが良くなるものである。しかも、このように、電池パック６の端以外の部分に積載用の電池１ａを積載した構造とするに当たって、２つの電池ブロック４、５を接合したものであるにもかかわらず、第１の電池ブロック４の上面に第１補強板７を載置固着し、第２の電池ブロック５の上面に第２補強板８を載置固着し、第１補強板７乃至第２補強板８の少なくとも一方から側方に接続用突片９を連出し、接続用突片９を隣接する電池ブロックの電池１の上面に載置固着するので、各電池ブロック４、５においてそれぞれ並設した複数の電池１同士を第１、第２補強板７、８により接続して各電池ブロック４、５の補強ができると共に、接続用突片９を隣接する電池ブロックの電池１の上面に載置固着することで、両電池ブロック４、５同士を電池１を接続用突片９により強固に一体に接続できて、両電池ブロック４、５間で接続力が弱くなることを防ぐことができるものである。
【０００８】
また、第１、第２補強板７、８が電気的絶縁性を備えていることが好ましい。
【０００９】
このような構成とすることで、電池１の短絡を防止する別途絶縁シートを設けることなく、補強板７、８に電池１同士を補強しながら接続一体化する役目と絶縁シートの役目を兼用させることができ、部材数が減少して構成が簡略化し、組み立ても容易に行えるものである。
【００１０】
また、接続した両電池ブロック４、５よりなるブロック体１０の外周を囲んで保持するための外周壁部１１を設けることが好ましい。
【００１１】
このような構成とすることで、接続用突片９による両電池ブロック４、５の接続に加え、外周壁部１１によるよって更に両電池ブロック４、５を一体に接続できて両電池ブロック４、５よりなるブロック体１０を強固に一体化できるものである。
【００１２】
また、外周壁部１１に各電池１の外周部を保持するための複数の電池保持部１２を設けることが好ましい。
【００１３】
このような構成とすることで、ブロック体１０の外周が外周壁部１１に保持されるだけでなくこの際同時に各電池１が電池保持部１２により各々保持され各電池１がずれることなく、全体として一体に保持されるものである。
【００１４】
また、第１補強板７及び第２補強板８にそれぞれ各電池１に嵌め込んで各電池１を保持するための複数の電池嵌め込み部１３を設けることが好ましい。
【００１５】
このような構成とすることで、第１補強板７及び第２補強板８により各電池１同士が一体に接続されると共にこの際同時に電池嵌め込み部１３に各電池１が嵌め込まれて保持されて各電池１がずれることなく、全体として一体に保持されるものである。
【発明の効果】
【００１６】
本発明は、上記のように、電池パックの端以外の部分に積載用の電池を積載した構造にでき、電池パックを電気機器に接続した状態におけるバランスを良くすることができるものであり、また、両電池ブロック同士を接続用突片により強固に一体に接続できて、両電池ブロック間で接続力が弱くなることを防いで衝撃に強い電池パックを提供することができるものである。
【発明を実施するための最良の形態】
【００１７】
以下、本発明を添付図面に示す実施形態に基いて説明する。
【００１８】
図１乃至図５には本発明の一実施形態が示してある。電池パック６は図１に示すように主体を構成する電池パック本体１４をパックケース１５内に内装すると共にパック蓋１６を被せて図５に示すように構成してある。
【００１９】
電池パック６の主体を構成する電池パック本体１４は、並設した複数の電池１の各電極２ａ、２ｂを接続端子３を介して電気的に接続してなる第１の電池ブロック４と、並設した複数の電池１の各電極２ａ、２ｂを接続端子３を介して電気的に接続してなる第２の電池ブロック５とを組み合わせると共に両電池ブロック４、５を電気的に接続して構成してある。
【００２０】
すなわち、図２に示すように、一端面側に電極２ａ（正電極）を設けると共に該一端面の反対側の他端面に電極２ｂ（負電極）を備えた複数の電池１を電極２ａ、２ｂを有しない側面同士を近接対向するように並設すると共に隣接する電池１の各電極２ａ、２ｂを接続端子３で電気的、機械的に接続して第１の電池ブロック４を構成し、更にこの第１の電池ブロック４の一側端部に並んだ複数の電池１のうち一つの電池１の隣りに積載用の電池１ａを接続端子３を介して接続してある。
【００２１】
また、一端面側に電極２ａ（正電極）を設けると共に該一端面の反対側の他端面に電極２ｂ（負電極）を備えた複数の電池１を電極２ａ、２ｂを有しない側面同士を近接対向するように並設すると共に隣接する電池１の各電極２ａ、２ｂを接続端子３で電気的、機械的に接続して第２の電池ブロック４を構成してある。
【００２２】
ここで、電池ブロックにおける複数の電池１の並設方向と平行な面と直交する方向の両端面を上面、下面と定義したとき、第１の電池ブロック４の一側端部に並んだ複数の電池１のうち一つの電池１の上面と隣接する積載用の電池１ａの上面とが接続端子３により図２に示すように接続してある。つまり、第１の電池ブロック４、第２の電池ブロック５において、複数の電池１を並設するに当たって、上面側が正電極２ａとなり且つ下面側が負電極２ｂとなった電池１の隣に上下逆にした電池１（つまり上面側が負電極２ｂとなり且つ下面側が正電極２ａとなった電池１）を配置するというように交互に上下方向が逆となるように配置してあり、上面側において隣接する電池１の正電極２ａと負電極２ｂとを接続端子３により接続し、下面側において隣接する電池１の負電極２ｂと正電極２ａとを接続端子３により接続してある。
【００２３】
第１の電池ブロック４の上面には図２に示すような第１補強板７が載置固着される。図２に示す実施形態で第１補強板７は、第１の電池ブロック４の積載用の電池１ａを接続した方の一側端部に並んだ複数の電池１を除く全ての電池１の上面に載置される主板部１７と主板部１７の側端から側方に一体に突出した端板部１７ａとで構成してあり、端板部１７ａは積載用の電池１ａを接続した方の一側端部に並んだ複数の電池１のうち積載用の電池１ａを接続した電池１に載置される形状をしている。また、図２に示す実施形態では第１補強板７は機械的強度が強く且つ電気的絶縁性を有する材料により形成したものが使用してある。上記の構成の第１補強板７を並設した電池１を接続端子３で接続した第１の電池ブロック４の上面に載置して固着してあり、固着に当たっては、例えば両面粘着テープにより固着してある。この場合、第１の電池ブロック４の一側端に並んだ複数の電池１のうち積載用の電池１ａを接続した電池１を除く電池１の上面には第１補強板７は載置されず、該電池１の上面は露出状態となっている。この状態で、図３（ａ）のように積載用の電池１ａを接続した電池１の上面の端板部１７ａ上に電池１が液漏れした際に漏れた液を吸収するための吸湿紙１９を載設し、更に、図３（ａ）から図３（ｂ）のように接続端子３を折り返して第１の電池ブロック４の一側端部に並んだ複数の電池１のうち一つの電池１の上面に積載用の電池１ａを積載する。
【００２４】
積載用の電池１ａには端子ブロック２０が被嵌して取付けてある。端子ブロック２０には４側面に一対の給電用端子２０ａ、充電時温度センサ用端子２０ｂ、使用時温度センサ用端子２０ｃが設けてある。
【００２５】
上記のように第１の電池ブロック４の上面に第１補強板７を載置固着して第１の電池ブロック４の各電池１同士を一体に接続固着するとともに第１補強板７で強固に一体化した状態で、図４のように第１の電池ブロック４の積載用の電池１ａを積載した方の端部側の側面に第２の電池ブロック４の側面を近接対向して当接させ、この状態で、上面側において第１の電池ブロック４の端部に位置する一つの電池１の上面の電極２ａ（又は２ｂ）と第２の電池ブロック５のうちの一つの電池１の上面の電極２ｂ（又は２ａ）とに接続端子３を架け渡して接続する。
【００２６】
この状態で、第２の電池ブロック５の上面に第２補強板８を載置して両面粘着テープな等で固着する。本実施形態においては、第２補強板８には図２、図４に示すように側方に接続用突片９を一体に連出してあり、該接続用突片９を隣接する第１の電池ブロック４の端部に位置する電池１の上面（本実施形態では第１補強板７が載設固着されず露出している電池１の上面）に載置して両面粘着テープ等で固着してある。本実施形態では第２補強板８は機械的強度が強く且つ電気的絶縁性を有する材料により形成したものが使用してある。
【００２７】
これにより、図１のように電池パック６の端以外の部分（つまり中央部）に積載用の電池１ａを積載した構造にできるものである。しかも、このように、電池パック６の端以外の部分に積載用の電池１ａを積載した構造とするに当たって、２つの電池ブロック４、５を接合したものであるにもかかわらず、第１の電池ブロック４の上面に第１補強板７を載置固着し、第２の電池ブロック５の上面に第２補強板８を載置固着し、第１補強板７乃至第２補強板８の少なくとも一方から側方に接続用突片９を連出し、接続用突片９を隣接する電池ブロックの電池１の上面に載置固着するので、各電池ブロック４、５においてそれぞれ並設した複数の電池１同士を第１、第２補強板７、８により接続して各電池ブロック４、５の補強ができると共に、接続用突片９を隣接する電池ブロックの電池１の上面に載置固着することで、両電池ブロック４、５同士を電池１を接続用突片９により強固に一体に接続できて、両電池ブロック４、５間で接続力が弱くなることを防ぐことができる。
【００２８】
また、第１の電池ブロック４の下面と第２の電池ブロック５の下面側には両電池ブロック４、５の下面の全面にわたる第３補強板２１を重ねて両面粘着テープなどで固着してあって、両電池ブロック４、５よりなるブロック体１０全体をよりいっそう強固に一体化してある。本実施形態では第３補強板２１は機械的強度が強く且つ電気的絶縁性を有する材料により形成したものが使用してある。
【００２９】
上記第１補強板７、第３補強板２１には放熱孔２２が設けてあり（ここで図示を省略しているが、第２補強板８にも放熱孔２２を設けてもよい）る。
【００３０】
なお、積載用の電池１ａには端子ブロック２０の一対の給電用端子２０ａのうち一方の給電用端子２０ａは積載用の電池１ａの積載状態における上面側の電極２ｂに接続し、他方の給電用端子２０ａはリード線により第２の電池ブロック５の一つの電池１の上面側の電極２ａに接続される。
【００３１】
また、充電時温度センサ用端子２０ｂ、使用時温度センサ用端子２０ｃにはそれぞれリード線２３が接続してあり、各リード線２３の先端に設けた温度センサ（図示せず）を放熱孔２２から隣接する電池１間の隙間に挿入してある。
【００３２】
上記のように組み立て形成された電池パック本体１４はパックケース１５内に内装され、パック蓋１６を被せて該パック蓋１６をパックケース１５に固着することで、図５に示すような電池パック６を構成するものである。パック蓋１６には端以外の部分（つまり中央部分）に下方に開口した突筒２４が突設してあり、この突筒２４内に上記積載用の電池１ａが嵌め込まれ、突筒２４の４側面に設けた窓孔２５に給電用端子２０ａ、充電時温度センサ用端子２０ｂ、使用時温度センサ用端子２０ｃが臨んでいる。
【００３３】
また、パック蓋１６には放熱用孔２６が設けてあり、パックケース１５の下面には放熱用孔２７が設けてある。
【００３４】
更に、パックケース１５には係止手段となる係止部２８が設けてある。
【００３５】
上記のような構成の電池パック６は従来の電池パックと同様に、電動工具のような電気機器に取付けて電源として使用されるのであるが、この場合、電動工具のような電気機器における筒状のハンドルのような機器ハウジング内に電池パック６の中央部に突設した突筒２４を嵌め込んで、係止部２８を利用して機器ハウジングに取付ける（取付けの図面は省略する）。この取付け状態で、突筒２４の窓孔２５に臨んでいる給電用端子２０ａ、使用時温度センサ用端子２０ｃが筒状の機器ハウジング内に設けた負荷側端子、センサ用端子に接触して電気的に接続するものであり、電気機器に設けたスイッチを操作することで、電池パック６の電池１を電源として電気機器をオン動作させるようになっている。なお、電気機器の使用中に電池パック６の電池１が所定温度以上に高くなると、使用時温度センサ用端子２０ｃに接続した温度センサによりこれを検知して電気機器をオフ動作させるようになっている。
【００３６】
一方、電池パック６の電池１に充電する場合には、充電機器（充電用の電気機器）に電池パック６の中央部に突設した突筒２４を嵌め込んで、係止部２８を利用して充電機器に取付ける（取付けの図面は省略する）。この取付け状態で、突筒２４の窓孔２５に臨んでいる給電用端子２０ａ、充電時温度センサ用端子２０ｂを充電機器に設けた充電側端子、センサ用端子に接触して電気的に接続するものであり、この状態で充電機器から電池パック６の電池１に充電をする。この場合、充電機器にはファンが設けてあって、ファンを運転して放熱用孔２６から電池パック６内に送風して放熱用孔２７から外に放熱するようにしているが、この充電中に所定温度以上に電池１が昇温すると、これを充電時温度センサ用端子２０ｂに接続した温度センサにより検知して充電を停止するようになっている。
【００３７】
次に、本発明の他の実施形態を図６、図７に基いて説明する。上記実施形態においては、第１補強板７、第２補強板８、第３補強板２１をいずれも電気的絶縁性を有し且つ接続補強機能を備えた強度の強い材料で形成することで、補強板と絶縁シートとを兼用させた実施形態につき説明したが、本実施形態においては、補強板とは別に絶縁シートを設けたことに特徴がある。図６、図７に示す実施形態では第１補強板７、第２補強板８、第３補強板２１とは別に第１絶縁シート２９、第２絶縁シート３０、第３絶縁シート３１を設けたものであり、第１絶縁シート２９、第２絶縁シート３０、第３絶縁シート３１はそれぞれ平面形状がそれぞれ第１補強板７、第２補強板８、第３補強板２１と略同じ形状をしており、また補強板と同様に放熱孔３５を設けている。
【００３８】
第１絶縁シート２９は、第１の電池ブロック４の積載用の電池１ａを接続した方の一側端部に並んだ複数の電池１を除く全ての電池１の上面に載置される主シート部３２と主シート部３２の側端から側方に一体に突出した端シート部３２ａとで構成してあり、端シート部３２ａは積載用の電池１ａを接続した方の一側端部に並んだ複数の電池１のうち積載用の電池１ａを接続した電池１に載置される形状をしている。上記の構成の第１絶縁シート２９を第１の電池ブロック４の上面に載置して両面粘着テープ等で固着し、更に、この第１絶縁シート２９の上に第１補強板７を載置して固着して両面粘着テープ等で固着してある。この状態で、積載用の電池１ａを接続した電池１の上面の端板部１７ａ上に電池１が液漏れした際に漏れた液を吸収するための吸湿紙１９を載設し、更に、図６から図７のように接続端子３を折り返して第１の電池ブロック４の一側端部に並んだ複数の電池１のうち一つの電池１の上面に端シート部３２ａ、端板部１７ａを介して積載用の電池１ａを積載する。
【００３９】
この状態で、図７のように第１の電池ブロック４の積載用の電池１ａを積載した方の端部側の側面に第２の電池ブロック４の側面を近接対向して当接させ、この状態で、上面側において第１の電池ブロック４の端部に位置する一つの電池１の上面の電極２ａ（又は２ｂ）と第２の電池ブロック５のうちの一つの電池１の上面の電極２ｂ（又は２ａ）とに接続端子３を架け渡して接続し、更にこの状態で、第２の電池ブロック５の上面に第２絶縁シート３０を載置して両面粘着テープなどを介して固着する。ここで、本実施形態においては、第２絶縁シート３０には図６、図７に示すように側方に接続用突シート部３３が一体に突出してある。また、第２絶縁シート３０の上面には第２補強板８を両面粘着テープ等により固着する。ここで、本実施形態においては、第２補強板８には図６、図７に示すように側方に接続用突片９を一体に連出してあり、該接続用突片９を隣接する第１の電池ブロック４の端部に位置する電池１の上面（本実施形態では第１補強板７が載設固着されず露出している電池１の上面）に接続用突シート部３３を介して載置し、接続用突シート部３３と第１電池ブロック４の端部の電池１の上面を両面粘着テープ等により固着すると共に、接続用突シート部３３と接続用突片９を両面粘着テープ等により固着する。その後、第１の電池ブロック４の下面と第２の電池ブロック５の下面には両電池ブロック４、５の下面の全面にわたる第３絶縁シート３１を重ねて両面粘着テープなどで固着すると共に第３絶縁シート３１の下面の全面にわたって第３補強板２１を重ねて両面粘着テープなどで固着してある。
【００４０】
なお、本実施形態は上記の構成が前述の図１乃至図５に示す実施形態と異なるのみで他の構成は図１乃至図５に示す実施形態と同様であるので、重複する説明は省略する。
【００４１】
このように本実施形態においては、補強板とは別に絶縁シートを設けたので、補強板として金属板などの強度の強いものが使用でき、したがって、よりいっそう各電池ブロック４、５自体の補強をすることができると共に両電池ブロック４、５の同士の接続強度を向上できるものである。
【００４２】
次に、本発明の他の実施形態を図８に示す。この図８に示す実施形態においては、接続した両電池ブロック４、５よりなるブロック体１０の外周を囲んで保持するための外周壁部１１を設けた構成に特徴がある。
【００４３】
すなわち、図８に示す実施形態では第３補強板２１の全外周縁にわたって上方に向けて外周壁部１１を突設してあり、第３補強板２１を両電池ブロック４、５よりなるブロック体１０の下面に直接又は第３絶縁シート３１を介して固着する際に同時に第３補強板２１の全外周縁にわたって形成した外周壁部１１をブロック体１０の外周に嵌め込んであり、これによりブロック体１０の外周を囲んで保持し、ブロック体１０をより強固に一体的に接続するようになっている。
【００４４】
この図８に示す実施形態では第１補強板７、第２補強板８の各全外周縁にわたって下方に向けてそれぞれ嵌め込み壁７ａ、８ａを設け、第１補強板７を前述のように第１の電池ブロック４に載置固着する際に嵌め込み壁７ａを第１の電池ブロック４の第１補強板７を載設固着する電池１群の外周に嵌め込み、第２補強板８を前述のように第２の電池ブロック５及び第１の電池ブロック４の端部のうちの第１補強板８を載置していない電池１に載置固着する際に嵌め込み壁８ａを第２の電池ブロック５及び第１電池ブロック５の上記第２補強板８を載設固着する電池１群の外周に嵌め込むようになっており、これにより、第１補強板７によって電池１群をより強固に接続できると共に、第２補強板８によって電池１群をより強固に接続できるものである。
【００４５】
次に、本発明の更に他の実施形態を図９に基いて説明する。本実施形態においては、第３補強板２１の全外周縁にわたって上方に向けて外周壁部１１を突設し、更に、この外周壁部１１に囲まれた部分に外周壁部１１と一体に各電池１を保持するための複数の電池保持部１２を形成してあり、上記と同様にして第３補強板２１を両電池ブロック４、５よりなるブロック体１０の下面に直接又は第３絶縁シート３１を介して固着する際に同時に第３補強板２１の全外周縁にわたって形成した外周壁部１１をブロック体１０の外周に嵌め込むと共に各電池保持部１２を外周壁１１に囲まれた部分の内部の各電池１に嵌め込んで各電池１毎に保持している。このようにブロック体１０の外周を囲んで保持するだけでなく各電池１毎に保持しているので、各電池１がずれることなくブロック体１０をより強固に一体的に接続することができるものである。
【００４６】
また、この図９に示す実施形態では第１補強板７、第２補強板８の各全外周縁にわたって下方に向けてそれぞれ嵌め込み壁７ａ、８ａを設け、更に、各嵌め込み壁７ａ、８ａに囲まれた部分に各電池１を嵌め込み支持するための複数の電池嵌め込み部１３を設けてある。そして、第１補強板７を前述のように第１の電池ブロック４に載置固着する際に嵌め込み部７ａを第１の電池ブロック４の第１補強板７を載設固着する電池１群の外周に嵌め込むと共に該電池１群の各電池１にそれぞれ電池嵌め込み部１３を嵌め込んで各電池１毎に保持し、更に、第２補強板８を前述のように第２の電池ブロック５及び第１の電池ブロック４の端部のうちの第１補強板８を載置していない電池１に載置固着する際に嵌め込み部８ａを第２の電池ブロック５及び第１の電池ブロック４の上記第２補強板８を載設固着する電池１群の外周に嵌め込むと共に、該電池１群の各電池１にそれぞれ電池嵌め込み部１３を嵌め込んで各電池１毎に保持するようになっている。これにより、第１補強板７によって電池１群及び該電池１群内の個々の電池１を強固に保持して接続できると共に、第２補強板８によって電池１群及び該電池１群内の個々の電池１を強固に保持して接続できる。
【００４７】
なお、図９の実施形態において第３補強板２１を設けることなく、上下に開口した外周壁１１のみを設けてもよいものである。
【００４８】
また、上記した各実施形態においては、第１補強板７を第１の電池ブロック４の上面に載置固着する際に、積載用の電池１ａ側の端部に並設した複数の電池１のうち、上面に積載用の電池１ａを積載する電池１を除いた他の電池１は第１補強板７が載置されず、この第１補強板７が載置されない電池１上に隣接する第２の電池ブロック５の上面に載置固着する第２補強板８から側方に突出した接続用突片９を載置固着した例を示したが、第２の電池ブロック５のうち任意の電池１の上面に第２補強板８を載置せず、第１補強板８に側方に向けて接続用突片９を一体に連出し、該第１補強板７から側方に突出した接続用突片９を第２の電池ブロック５の複数の電池１のうち上面に第２補強板８を載置していない電池１の上面に載置固着してもよいものである。
【００４９】
また、第１補強板７、第２補強板８のいずれにも側方に向けて接続用突片９を一体に突出して、第１補強板７の接続用突片９を第２の電池ブロック５の電池１の上面に載置固着すると共に第２補強板８の接続用突片９を第１の電池ブロック４の電池１の上面に載置固着するようにしてもよく、この場合、第１補強板８の接続用突片９と第２補強板８の接続用突片９とが重複して載置固着されるようにしてもよく、また、第１補強板８の接続用突片９と第２補強板８の接続用突片９とが重複することなく、それぞれ第２の電池ブロック５の電池１上面、第１電池ブロック４の電池１の上面に載置固着するようにしてもよい。なお、第１補強板７の接続用突片９と第２補強板８の接続用突片９とを重複して載置固着する場合、段差ができるので、段差ができないように第１補強板８の接続用突片９の下面又は上面を切欠して半分の厚みとすると共に第２補強板８の接続用突片９の上面又は下面を切欠して半分の厚みとし、両者を重複して載置固着してもよい。
【図面の簡単な説明】
【００５０】
【図１】本発明の電池パックの分解斜視図である。
【図２】同上の組み立て途中における第１の電池ブロック、第２の電池ブロック、第１、第２補強板を示す分解斜視図である。
【図３】（ａ）（ｂ）は同上の積載用の電池を第１の電池ブロックの上に積載する順序を示す説明のための側面図である。
【図４】同上の組み立て途中における第１の電池ブロック、第２の電池ブロック、第１、第２、第３補強板を示す分解斜視図である。
【図５】同上の電池パックの斜視図である。
【図６】本発明の電池パックの他の実施形態における組み立て途中における第１の電池ブロック、第２の電池ブロック、第１、第２補強板、第１、第２絶縁シートを示す分解斜視図である。
【図７】同上の組み立て途中における第１の電池ブロック、第２の電池ブロック、第１、第２、第３補強板、第１、第２、第３絶縁シートを示す分解斜視図である。
【図８】本発明の電池パックの更に他の実施形態における組み立て途中における分解斜視図である。
【図９】本発明の電池パックの更に他の実施形態における組み立て途中における分解斜視図である。
【符号の説明】
【００５１】
１  電池
１ａ  電池
２ａ  電極
２ｂ  電極
３  接続端子
４  第１の電池ブロック
５  第２の電池ブロック
６  電池パック
７  第１補強板
８  第２補強板
９  接続用突片
１０  ブロック体
１１  外周壁部
１２  電池保持部
１３  電池嵌め込み部
【図１】
2005026190.tif 000003
【図２】
2005026190.tif 000004
【図３】
2005026190.tif 000005
【図４】
2005026190.tif 000006
【図５】
2005026190.tif 000007
【図６】
2005026190.tif 000008
【図７】
2005026190.tif 000009
【図８】
2005026190.tif 000010
【図９】
2005026190.tif 000011